(57)【要約】【課題】  新規な光り方で面白みを増し、演出効果を一層高めることのできるミラーボール装置及び遊技機を提供する。【解決手段】  ミラーボール２と駆動装置３と光源（第１光源）４とを備えたミラーボール装置において、ミラーボール２を、透光性材料を用いて中空に、かつその内周面を多面体形状又は球面形状に形成し、またその内周面又は外周面にハーフミラー処理をした。そして、ミラーボール２の内周面に光を照射する第２光源５を設けた。第１，第２光源４，５からの光によるミラーボール外部反射光と内部発光の複合、及びミラーボール２の回転による外部反射光の散乱、内部発光の位置変動等、装置全体の作用により新規な光り方を実現した。遊技機において、このようなミラーボール装置１を遊技盤面に設け、遊技の演出効果を一層高めた。【選択図】        図８
2006346332.tif 000002
【特許請求の範囲】
【請求項１】
外周面が多面体形状をなすミラーボールと、このミラーボールを回転させる駆動装置と、前記ミラーボールの外周面に光を照射する光源とを備えたミラーボール装置において、
前記ミラーボールは、透光性材料を用いて中空に形成され、かつその内周面が多面体形状又は球面形状に形成され、その内周面又は外周面がハーフミラー処理されてなり、
このミラーボールの内周面に光を照射する第２光源を備えることを特徴とするミラーボール装置。
【請求項２】
請求項１に記載されたミラーボール装置を遊技盤面に備えたことを特徴とする遊技機。
【発明の詳細な説明】
【技術分野】
【０００１】
本発明は、展示品や装飾物等に対して、あるいは遊戯場等において、更には遊技機盤面において、各々光による演出を行い、各演出対象について面白みや楽しさを増すため等に用いられるミラーボール装置及びこれを用いた遊技機に関するものである。
【背景技術】
【０００２】
従来、展示品や装飾物等に対して、あるいは遊戯場等において、光による演出を行い、面白みや楽しさを増すための装置としてミラーボール装置があった（例えば、特許文献１参照）。
またパチンコ機においても、従来、その盤面において光による演出を行い、面白みや楽しさを増して遊技者を飽きさせないように、ミラーボール装置を設けたものがあった（例えば、特許文献２参照）。
【特許文献１】特開２０００−５７８１９号公報
【特許文献２】特開２００３−８８６１７号公報
【発明の開示】
【発明が解決しようとする課題】
【０００３】
しかしながら、上掲特許文献１，２に記載のミラーボール装置は、基本的にはいずれもミラーボール外周の光反射面にミラーボール外側から光を照射し、上記光反射面からの反射光を周囲に散乱、投射するという構成であって、その光り方は旧来からのものと特に変わるところはなかった。そこで従来、その光り方自体が目新しく、面白みを増して演出効果を高めることのできるミラーボール装置やこれを用いた遊技機の開発が要望されていた。
本発明は、上記のような要望に鑑みなされたもので、光の反射と透過を利用した新規な光り方を呈し、面白みを増して演出効果を高めることのできるミラーボール装置及びこれを用いた遊技機を提供することを目的とする。
【課題を解決するための手段】
【０００４】
上記目的を達成するために、特許請求の範囲の請求項１に記載の発明は、外周面が多面体形状をなすミラーボールと、このミラーボールを回転させる駆動装置と、前記ミラーボールの外周面に光を照射する光源とを備えたミラーボール装置において、前記ミラーボールは、透光性材料を用いて中空に形成され、かつその内周面が多面体形状又は球面形状に形成され、その内周面又は外周面がハーフミラー処理されてなり、このミラーボールの内周面に光を照射する第２光源を備えることを特徴とする。
また、特許請求の範囲の請求項２に記載の遊技機は、上記請求項１に記載されたミラーボール装置を遊技盤面に備えたことを特徴とする。
【発明の効果】
【０００５】
特許請求の範囲の請求項１に記載の発明は、外周面が多面体形状をなすミラーボールと、これを回転させる駆動装置と、ミラーボール外周面に光を照射する光源とを備えたミラーボール装置において、ミラーボールを、透光性材料を用いて中空に、かつその内周面を多面体形状又は球面形状に形成し、更にその内周面又は外周面にハーフミラー処理をした。そして、このミラーボールの内周面に光を照射する第２光源を設けた。
これによれば、第１光源及び第２光源からの光によるミラーボール外部反射光と内部発光の複合、及びミラーボールの回転による外部反射光の散乱、内部発光の位置変動等、装置全体の作用により、新規な光り方を呈し、面白みを増して演出効果を高めることができる。
また、特許請求の範囲の請求項２に記載の発明によれば、遊技機を、請求項１に記載されたミラーボール装置を遊技盤面に備えて構成したので、請求項１のミラーボール装置によって遊技の演出効果が一層高められた遊技機を提供できる。
【発明を実施するための最良の形態】
【０００６】
以下、本発明の実施の形態を図面に基づき説明する。なお、各図間において、同一符号は同一又は相当部分を示す。
図１は、本発明によるミラーボール装置の一実施形態を示す正面図（背面図も一部を除いて同じ）、図２は、図１に示す本発明装置を第１光源を取り除いた状態で示す斜視図、図３は同じく分解斜視図である。図４は、図１中のミラーボールを取り出して示す斜視図、図５は同じく平面図である。図６は、図１に示す本発明装置を第１光源及びミラーボールを取り除いた状態で示す斜視図、図７は同じく正面図である。
これらの図に示すように、ミラーボール装置１は、ミラーボール２と駆動装置３と第１光源４及び第２光源５とを備えてなる。
図中６は、第１光源４を除くミラーボール装置１の各部をユニット化するための取付基台であり、第２光源５に電源を供給するためのコネクタ７を備えた基板８もこの取付基台６に取り付けられている。取付基台６が、その上面に立設された一対の装置取付部６ａ，６ａを介して図示しない天井面等の所望位置にねじ止めされることにより、第１光源４を除くミラーボール装置部分（以下、ミラーボール装置本体と称する。）１Ａがその位置に取付固定される。
【０００７】
上記ミラーボール２は、外周面が多面体形状をなし、その外周面に照射された光を反射可能に、また内部に第２光源５を配置可能に、透光性材料を用いて中空に形成され、その内周面又は外周面、本実施形態では外周面がハーフミラー処理されてなる。
上記透光性材料としては、例えばポリカーボネートやＡＢＳ樹脂（アクリロニトリル、ブタジエン及びスチレンの３成分からなる合成樹脂）等の透光性合成樹脂材料が好適である。
このミラーボール２の内周面は、多面体形状又は球面形状に、本実施形態では多面体形状に形成されている。ミラーボール２の内，外周面を共に多面体形状に形成する場合、双方の多面体形状は、成形の低コスト化等から相似関係（ミラーボール２の厚さ方向に僅かに拡大／縮小する関係）をもって形成されるのが通例であるが、必ずしもこのような相似関係をもって形成しなくてもよい。
またこのミラーボール２は、本実施形態では成形のし易さ等から上下に２分割、つまり上ボール部２ａと下ボール部２ｂとに分割され（図３参照）、これらをねじ止めして一体化する構成となっている（図４参照）。
上記ハーフミラー処理としては、未処理状態のミラーボール２を形成する透光性合成樹脂材料の表面に、アルミニウム等の金属を、ある程度の光を透過可能に薄く蒸着するハーフ蒸着や、銀鏡反応を利用して薄い銀反射塗膜を形成する方法等が適用される。
ハーフミラー処理されたミラーボール２面は、一部の光を反射させ、残りの光を透過させるハーフミラーとなる。つまり、ミラーボール２の外周面を明るい環境で見ると何ら鏡と変わらないが、ミラーボール２の内周面側が明るくなると内周面側からの光がミラーボール２を透過して外周面側で見えるようになる。
【０００８】
駆動装置３は、ミラーボール２を回転させる装置であり、モータ３ａと、このモータ３ａ及びミラーボール２相互を連結してモータ３ａの回転力をミラーボール２に伝える連結軸３ｂとを備えてなる。ミラーボール２は、配線３ｃを介して電源が供給されモータ３ａが回転することにより、連結軸３ｂの軸回り方向に回転される。
連結軸３ｂは、断面ほぼ六角形のスリーブ状に形成された軸本体３ｄと、この軸本体３ｄの下端から側方に三つ又状に延出する３つの支持腕３ｅとで形成される。
モータ３ａの回転軸は、連結軸３ｂにその軸本体３ｄの上端面から軸方向に挿入されてねじ止めされる。またミラーボール２は、その上端開口部から連結軸３ｂの支持腕３ｅが通され、この支持腕３ｅがミラーボール内周底部にねじ止めされることで、連結軸３ｂひいてはモータ３ａの回転軸に連結される。
ミラーボール２は、その底部中心と上端開口部中心とを結ぶ線が回転軸となり、この回転軸位置に連結軸３ｂの軸本体３ｄが位置するように設計、組立されているので、モータ３ａが回転すると、ミラーボール２は連結軸３ｂの軸回り方向に回転する。
【０００９】
上記モータ３ａは、回転軸を下方に貫通させた状態で上記取付基台６にねじ止めされている。取付基台６に取り付けられた基板８には、第２光源５が取り付けられているが、この第２光源５は、ミラーボール２を正面（背面）から見たときに連結軸３ｂを挟んだ２箇所に、各々光出射面を下方に向けた状態で取り付けられている。
第２光源５の光出射面は、本実施形態ではミラーボール２の上端開口位置よりもやや下がった（ミラーボール２内に僅かに入った）位置に設定されているが、この位置は実験等により適宜選定される。この光出射面の上下方向の位置を微調整可能に構成してもよい。いずれにしても、第２光源５からの光線の比較的輝度の高い範囲がミラーボール２の内周面に照射されるように選定されている。
第２光源５には、各種ランプ、発光素子等が使用可能であるが、小形で輝度の高い光源が望ましい。本実施形態では赤・緑・青の３原色を発光するＲＧＢフルカラーＬＥＤが用いられている。ＲＧＢフルカラーＬＥＤはコネクタ７から電源供給されて点灯（発光）するが、電源供給を適宜制御することにより、赤・緑・青の各色を独立して又は複数色同時に点消灯（ないし点滅）できる。ＲＧＢフルカラーＬＥＤによれば、省スペースで多種多様の色彩の光をミラーボール２の内周面に照射できる。
【００１０】
第１光源４（図１参照）は、ミラーボール２の外部から同ミラーボール２の外周面に光を照射する光源である。この第１光源４は、一般的には高輝度のスポットライトが用いられるが、ミラーボール２までの距離が近い場合には線状あるいは面状光源であってもよい。本実施形態ではミラーボール２の外周面近傍位置に対向配置された透光性の合成樹脂、例えば透明アクリル製の導光柱体４ａと、この導光柱体４ａ内にその端面から光を導入して導光柱体４ａ全体を発光させる単色ＬＥＤ又はＲＧＢフルカラーＬＥＤ、ここでは単色ＬＥＤ４ｂとを備えてなる線状光源が用いられている。導光柱体４ａには、ミラーボール２側により多く光が出射されるように反射膜等を形成してもよい。
この第１光源４は、ミラーボール２の左右両側に設けてもよく、あるいは一方側又は両側に複数個設けてもよい。両側に３個ずつ設ける場合には、３個の第１光源４の発光色を赤・緑・青のように違え、それらの電源供給を適宜制御すれば多種多様の色彩の光をミラーボール２の外周面に照射できる。
【００１１】
次に、上述実施形態の動作について、図１、図３及び図７に、図８を併用して説明する。
図８は、図１に示すミラーボール装置本体１Ａを同図中のＡ−Ａ線に沿って切断し、矢印方向から見た図である。
いま、装置電源がオンになり、第１光源４及び第２光源５に電源が供給されると、第１光源４及び第２光源５が点灯（発光）する。
第１光源４はミラーボール２の外部からこのミラーボール２の外周面に光を照射する光源であり、この第１光源４とミラーボール２のみによる演出は、旧来からのものと特に変わるところはない。つまり第１光源４からの光は、ミラーボール外周面の多面体形状をなす反射面で反射される（実線矢印イ，ロ参照）。
一方、基板８に取り付けられた第２光源５からの光は、例えばその光路を図８中の実線矢印ハ及び破線矢印ニで模式的に示すように、ミラーボール内周面の多面体形状をなす反射面で反射された後、あるいはミラーボール２内（内周面）で何回か乱反射した後、ミラーボール２（ハーフミラー）を透過してそのミラーボール外周面から外部に出射する。
これによれば、第２光源５からの光によってミラーボール外周面に発光が生じる。つまり、あたかもミラーボール２が自発光（内部発光）しているかのように見え、上記第１光源４による外部光の反射に加えて内部からも発光するという新規な光り方を呈して面白みを増し、従来にない光による演出効果を醸し出す。
【００１２】
装置電源がオンになり、モータ３ａに電源が供給されるとモータ３ａが回転し、その回転力が連結軸３ｂを介してミラーボール２に与えられ、このミラーボール２を連結軸３ｂの軸回り方向に回転させる。つまり、ミラーボール２の内外周面をなす各多面体形状（反射面）の回転軸回りの位置を変化させる。
第１光源４及び第２光源５は静止状態にあるが、上記のようにミラーボール２は回転しているので、第１光源４及び第２光源５の光出射面位置は、ミラーボール２の内外周面をなす各多面体形状の反射面位置に対して相対的に変化する。
ここで、第１光源４からの光に着目すれば、これは旧来からのものと特に変わるところはなく、ミラーボール外周面の多面体形状をなす反射面で反射され、周囲に散乱、投射される。しかし本ミラーボール装置１においては、これに第２光源５からの光が加わる。この第２光源５からの光は、ミラーボール２が自発光しているかのように見える光であり、しかも、ミラーボール２の回転（回転角）により、発光の位置や明るさが変動し、また歪みが生じてその形状や大きさ等も変動する。
つまり、第１光源４及び第２光源５からの光によるミラーボール外部反射光と内部発光の複合、及びミラーボール２の回転による外部反射光の散乱、内部発光の位置変動等、装置全体の作用により、新規な光り方を呈し、面白みを増して演出効果を高める。
【００１３】
なお上述実施形態では、ミラーボール２の内周面を多面体形状に形成したが、球面形状に形成してもよい。発明者の実験によれば、ミラーボール２の内周面を球面形状に形成した場合のほうが、ミラーボール２を透過して外周面側で見える発光（ドット状の幻想的な発光）がよりはっきりするという結果が得られた。
【００１４】
図９は、上述したミラーボール装置を遊技の演出装置として遊技盤面に設けた遊技機（ミラーボール装置を用いた遊技機）の一実施形態の要部を示す正面図である。
図から分かるように、ここでは遊技機がパチンコ機であり、ミラーボール装置がそのパチンコ機の遊技盤面９１中央に位置する画像表示装置９２の上方に設けられた例を示している。
このミラーボール装置は、第１光源４がミラーボール２の左右両側に、発光色を例えば赤・緑・青と違えて３個ずつ設けたことと、上述したミラーボール装置１（図１参照）の背面側をパチンコ機正面側に向けたことを除けば、上述したミラーボール装置１と同様である。なお第１光源４は、画像表示装置９２を取り囲むように遊技盤面９１上に配置、固定されたセンタ装飾部材９３に取り付けられている。
図１０は、図９中のミラーボール装置本体１Ａの具体的な取付例を説明するための分解斜視図である。
この図に示すように、ミラーボール装置本体１Ａは、図９中のセンタ装飾部材９３の骨組みをなすベース部９４の上部中央にねじ９５により取り付けられる。ミラーボール装置本体１Ａが取り付けられると、その前面側から上記ベース部９４の前面側上部にコネクタマウント９６がねじ９７により取り付けられる。
なお、上記センタ装飾部材９３の最前面を飾る化粧板部分（第１光源４等を含む）までの構成は図１０に示していないので、この図１０を正面視した場合の形態と図９に示す正面図とは全てが一致するわけではない。
【００１５】
これら図９及び図１０において、ミラーボール２はモータ３ａの回転に伴ってその軸回り方向に回転する。このとき、第１光源４からの光はミラーボール外周面の多面体形状をなす反射面で反射され、周囲に散乱、投射される。
また、第２光源５（図８参照）からの光は、ミラーボール内周面の多面体形状をなす反射面で反射され、あるいはミラーボール２内で乱反射した後、ミラーボール２（ハーフミラー）を透過してミラーボール２外部に出射され、ミラーボール外周面に発光を生じさせる。この発光は、あたかもミラーボール２が自発光しているかのように見え、上記第１光源４による外部光の反射に加えて内部からも発光するという新規な光り方を呈して面白みを増し、パチンコ機において従来にない光による演出効果を醸し出す。
つまり、第１光源４及び第２光源５からの光によるミラーボール外部反射光と内部発光の複合、及びミラーボール２の回転による外部反射光の散乱、内部発光の位置変動等、装置全体の作用により、新規な光り方を呈し、面白みを増して遊技の演出効果を高める。
このように、上述したパチンコ機によれば、遊技の演出装置として設けられた新規な光り方を呈するミラーボール装置によって遊技の演出効果が一層高められる。
なお上述実施形態では、ミラーボール装置をパチンコ機遊技盤面の画像表示装置部分に設けたが、この部分以外に設けてもよい。また、パチンコ機以外の遊技機の遊技盤面に設けてもよい。
【図面の簡単な説明】
【００１６】
【図１】本発明によるミラーボール装置の一実施形態を示す正面図である。
【図２】図１に示す本発明装置を第１光源を取り除いた状態で示す斜視図である。
【図３】同じく分解斜視図である。
【図４】図１中のミラーボールを取り出して示す斜視図である。
【図５】同じく平面図である。
【図６】図１に示す本発明装置を第１光源及びミラーボールを取り除いた状態で示す斜視図である。
【図７】同じく正面図である。
【図８】図１中のミラーボール装置本体のＡ−Ａ線断面矢視図である。
【図９】図１に示すミラーボール装置を設けたパチンコ機の一実施形態の要部を示す正面図である。
【図１０】図９中のミラーボール装置本体の具体的な取付例を説明するための分解斜視図である。
【符号の説明】
【００１７】
１：ミラーボール装置、１Ａ：ミラーボール装置本体、２：ミラーボール、３：駆動装置、４：第１光源、５：第２光源、９１：遊技盤面、９２画像表示装置、９３：センタ装飾部材。
【図１】
2006346332.tif 000003
【図２】
2006346332.tif 000004
【図３】
2006346332.tif 000005
【図４】
2006346332.tif 000006
【図５】
2006346332.tif 000007
【図６】
2006346332.tif 000008
【図７】
2006346332.tif 000009
【図８】
2006346332.tif 000010
【図９】
2006346332.tif 000011
【図１０】
2006346332.tif 000012